(57)【要約】【課題】光学的に投影画像の色補正を実施可能とし、色補正を実施した場合であっても投影画像のコントラスト比を良好に維持できるプロジェクタを提供する。【解決手段】プロジェクタ１において、複数の射出側偏光素子を介して色合成光学装置に入射する各色光は、第１の偏光方向を有する第１の色光と、第１の偏光方向と直交する第２の偏光方向を有する第２の色光とで構成される。そして、プロジェクタ１は、色合成光学装置の光路後段側に、色合成光学装置を介した第１の色光がＳ偏光光束ＩＳとして入射しかつ、色合成光学装置を介した第２の色光がＰ偏光光束ＩＰとして入射するように配設される第１の透光性基板５１と、投射光学系５０から拡大投射される光束の中心軸に直交する平面Ｓに対する第１の透光性基板５１の傾斜角度θを矢印Ｒ１の方向に変更可能に第１の透光性基板５１を支持する第１の角度調整機構５２とを備える。【選択図】図３
2007241131.tif 000002
【特許請求の範囲】
【請求項１】
光源装置と、前記光源装置から射出された光束を色光毎に画像情報に応じてそれぞれ変調する複数の光変調装置と、前記複数の光変調装置の光路後段側にそれぞれ配設され前記複数の光変調装置から射出された光束のうち所定の偏光方向を有する光束のみを透過する複数の射出側偏光素子と、前記複数の射出側偏光素子を介した各色光を合成して画像光を形成する色合成光学装置と、前記画像光を拡大投射する投射光学装置とを備えたプロジェクタであって、
前記複数の射出側偏光素子を介して前記色合成光学装置に入射する各色光は、第１の偏光方向を有する第１の色光と、前記第１の偏光方向と直交する第２の偏光方向を有する第２の色光とで構成され、
前記色合成光学装置の光路後段側に、前記色合成光学装置を介した前記第１の色光が光束入射側端面に対してＳ偏光光束として入射しかつ、前記色合成光学装置を介した前記第２の色光が前記光束入射側端面に対してＰ偏光光束として入射するように配設される第１の透光性基板と、
前記投射光学装置から拡大投射される光束の中心軸に直交する平面に対する前記第１の透光性基板の傾斜角度を所定方向に変更可能に前記第１の透光性基板を支持する第１の角度調整機構とを備えていることを特徴とするプロジェクタ。
【請求項２】
請求項１に記載のプロジェクタにおいて、
前記第１の透光性基板は、前記投射光学装置の光路後段側に配設されていることを特徴とするプロジェクタ。
【請求項３】
請求項２に記載のプロジェクタにおいて、
前記第１の透光性基板は、光束入射側端面が平面形状を有し、
前記第１の透光性基板の光路後段側に配設される第２の透光性基板を備え、
前記第２の透光性基板は、光束入射側端面が平面形状を有し、前記第１の角度調整機構による前記第１の透光性基板の傾斜角度の変更方向と逆方向に前記第２の透光性基板の光束入射側端面が傾斜して配設されていることを特徴とするプロジェクタ。
【請求項４】
請求項３に記載のプロジェクタにおいて、
前記投射光学装置から拡大投射される光束の中心軸に直交する平面に対する前記第２の透光性基板の光束入射側端面の傾斜角度を、前記第１の角度調整機構による前記第１の透光性基板の傾斜角度の変更方向と逆方向に変更可能に前記第２の透光性基板を支持する第２の角度調整機構を備えていることを特徴とするプロジェクタ。
【請求項５】
請求項４に記載のプロジェクタにおいて、
前記第１の透光性基板および前記第２の透光性基板は、光束入射側端面および光束射出側端面が略平行する形状をそれぞれ有し、
前記第１の角度調整機構および前記第２の角度調整機構は、
前記投射光学装置から拡大投射される光束の中心軸に直交する平面に対する前記第１の透光性基板の光束入射側端面の傾斜角度をθとし、
前記平面に対する前記第２の透光性基板の光束入射側端面の傾斜角度をφとし、
前記投射光学装置から拡大投射される光束の投影角度の最大値をαmaxとした場合に、
φ＝θ＋αmax
の関係を満たすように前記第１の透光性基板および前記第２の透光性基板の各傾斜角度を変更することを特徴とするプロジェクタ。
【発明の詳細な説明】
【技術分野】
【０００１】
本発明は、プロジェクタに関する。
【背景技術】
【０００２】
従来、光源装置と、光源装置から射出される光束を色光毎に画像情報に応じてそれぞれ変調する複数の光変調装置と、複数の光変調装置にて変調された各変調光を拡大投射する投射光学装置と、複数の光変調装置を制御する制御装置とを備えたプロジェクタが知られている。
そして、制御装置は、外部機器からビデオ信号（コンポジット信号やコンポーネント信号）等の画像信号を入力して、入力した画像信号に基づいて複数の光変調装置を駆動制御し、複数の光変調装置に画像信号に基づく光学像を形成させている。また、制御装置は、画像信号のレベルを電気回路的に調整することで、投影画像の色バランスの補正（色補正）を実施している（例えば、特許文献１参照）。
【０００３】
【特許文献１】特開２００２−１０１７７号公報
【発明の開示】
【発明が解決しようとする課題】
【０００４】
しかしながら、特許文献１に記載のプロジェクタでは、投影画像の色補正を実施する際、画像信号のレベルを電気回路的に調整しているので、画像信号のダイナミックレンジが変更され、投影画像のコントラスト比を良好に維持できない、という問題がある。
【０００５】
本発明の目的は、光学的に投影画像の色補正を実施可能とし、色補正を実施した場合であっても投影画像のコントラスト比を良好に維持できるプロジェクタを提供することにある。
【課題を解決するための手段】
【０００６】
本発明のプロジェクタは、光源装置と、前記光源装置から射出された光束を色光毎に画像情報に応じてそれぞれ変調する複数の光変調装置と、前記複数の光変調装置の光路後段側にそれぞれ配設され前記複数の光変調装置から射出された光束のうち所定の偏光方向を有する光束のみを透過する複数の射出側偏光素子と、前記複数の射出側偏光素子を介した各色光を合成して画像光を形成する色合成光学装置と、前記画像光を拡大投射する投射光学装置とを備えたプロジェクタであって、前記複数の射出側偏光素子を介して前記色合成光学装置に入射する各色光は、第１の偏光方向を有する第１の色光と、前記第１の偏光方向と直交する第２の偏光方向を有する第２の色光とで構成され、前記色合成光学装置の光路後段側に、前記色合成光学装置を介した前記第１の色光が光束入射側端面に対してＳ偏光光束として入射しかつ、前記色合成光学装置を介した前記第２の色光が前記光束入射側端面に対してＰ偏光光束として入射するように配設される第１の透光性基板と、前記投射光学装置から拡大投射される光束の中心軸に直交する平面に対する前記第１の透光性基板の傾斜角度を所定方向に変更可能に前記第１の透光性基板を支持する第１の角度調整機構とを備えていることを特徴とする。
【０００７】
ここで、第１の色光としては、１つのみであってもよく、あるいは、複数であっても構わない。また、第２の色光も同様に、１つのみであってもよく、あるいは、複数であっても構わない。
また、複数の射出側偏光素子としては、以下の構成を採用できる。
例えば、複数の射出側偏光素子を、第１の偏光方向を有する光束（第１の色光）のみを透過して射出する第１の射出側偏光素子と、第２の偏光方向を有する光束（第２の色光）のみを透過して射出する第２の射出側偏光素子とで構成する。この場合、第１の射出側偏光素子としては、単体であってもよく、あるいは、複数であっても構わない。また、第２の射出側偏光素子も同様に、単体であってもよく、あるいは、複数であっても構わない。
また、例えば、複数の射出側偏光素子を同一の構成とする。そして、複数の射出側偏光素子のうち少なくともいずれか一の射出側偏光素子の光路後段側に、位相差板を配設する。このように構成することで、位相差板を介した光束が第１の色光および第２の色光のいずれか一方となり、複数の射出側偏光素子のうち少なくともいずれか他の射出側偏光素子を介した光束が第１の色光および第２の色光のいずれか他方となる。
さらに、第１の透光性基板としては、光束入射側端面が平面状となる構成に限らず、曲面状となる構成としても構わない。
さらにまた、第１の透光性基板としては、光束入射側端面および光束射出側端面が略平行する形状に限らず、光束入射側端面および光束射出側端面が平行しない形状としても構わない。
【０００８】
ところで、ガラス等の透光性基板の反射率特性としては、一般的に、所定の入射角で光束が透光性基板に入射した際、Ｓ偏光光束の反射率とＰ偏光光束の反射率とが異なるものである。また、透光性基板の反射率特性としては、一般的に、Ｓ偏光光束の反射率やＰ偏光光束の反射率が透光性基板への入射角に応じて変化するものである。
本発明では、プロジェクタは、第１の透光性基板および第１の角度調整機構を備える。このことにより、第１の角度調整機構にて第１の透光性基板の傾斜角度を変更することで、第１の透光性基板の光束入射側端面に入射する第１の色光および第２の色光の入射角を変更することができる。このため、第１の透光性基板の光束入射側端面に入射するＳ偏光光束（第１の色光）の反射率と、および第１の透光性基板の光束入射側端面に入射するＰ偏光光束（第２の色光）の反射率との差を変更し、第１の透光性基板を介して第１の色光および第２の色光が合成される際の第１の色光および第２の色光の色バランスを変化させ、投影画像（画像光）の色補正を実施可能とする。
したがって、光学的に投影画像の色補正を実施可能とし、従来のように画像信号（画像情報）のレベルを電気回路的に調整して画像信号のダイナミックレンジを変更することがないので、投影画像の色補正を実施した場合であっても投影画像のコントラスト比を良好に維持できる。
【０００９】
本発明のプロジェクタでは、前記第１の透光性基板は、前記投射光学装置の光路後段側に配設されていることが好ましい。
ところで、最近では、プロジェクタの小型化が促進され、光変調装置、射出側偏光素子、色合成光学装置、および投射光学装置等の光学部品が密集した状態で配設されている。このため、色合成光学装置および投射光学装置の光路間に第１の透光性基板や第１の角度調整機構を配設する場合には、第１の透光性基板や第１の角度調整機構のレイアウトが難しい。
本発明によれば、第１の透光性基板が投射光学装置の光路後段側に配設されているので、プロジェクタの小型化が促進され光学部品が密集した状態で配設されていても、第１の透光性基板や第１の角度調整機構のレイアウトを容易とするとともに、第１の透光性基板や第１の角度調整機構の形状や大きさを気にすることなく第１の透光性基板や第１の角度調整機構の設計の自由度を向上できる。
【００１０】
本発明のプロジェクタでは、前記第１の透光性基板は、光束入射側端面が平面形状を有し、前記第１の透光性基板の光路後段側に配設される第２の透光性基板を備え、前記第２の透光性基板は、光束入射側端面が平面形状を有し、前記第１の角度調整機構による前記第１の透光性基板の傾斜角度の変更方向と逆方向に前記第２の透光性基板の光束入射側端面が傾斜して配設されていることが好ましい。
ここで、第２の透光性基板としては、第１の透光性基板と同一の形状、同一の材料で構成してもよく、第１の透光性基板と異なる形状、異なる材料で構成してもよい。また、第２の透光性基板としては、光束入射側端面および光束射出側端面が略平行する形状に限らず、光束入射側端面および光束射出側端面が平行しない形状としても構わない。
【００１１】
ところで、第１の透光性基板における光束入射側端面を平面形状とした場合には、投射光学装置が所定の範囲を有する投影角度（投射光学装置から拡大投射される光束の中心軸と投射光学装置を介した光束とのなす角度）で光束を拡大投射するため、第１の透光性基板への入射角が第１の透光性基板の光束入射側端面上の位置によって異なるものとなる。このため、第１の透光性基板の光束入射側端面上の位置によって、Ｓ偏光光束（第１の色光）やＰ偏光光束（第２の色光）の反射率が異なることとなり、投影画像に色ムラが生じやすい。
【００１２】
本発明では、透光性基板の反射率特性である入射角と反射率との相関関係を利用して、第１の透光性基板の光路後段側に、第１の角度調整機構による第１の透光性基板の傾斜角度の変更方向と逆方向に光束入射側端面を傾斜させて第２の透光性基板を配設したものである。具体的に、第２の透光性基板の光束入射側端面を第１の角度調整機構による第１の透光性基板の傾斜角度の変更方向と逆方向に傾斜させて配設しておけば、第１の透光性基板への入射角が大きくなるにしたがって、第１の透光性基板を介して第２の透光性基板に入射する光束の入射角が小さくなる。すなわち、例えば、第１の透光性基板において入射角と反射率とに正の相関関係があった場合には、第１の透光性基板への入射角が大きくなるにしたがって第１の透光性基板を介して第２の透光性基板に入射する光束の入射角が小さくなるため、第２の透光性基板においては、第１の透光性基板への入射角と第２の透光性基板の反射率とに負の相関関係が生成されることとなる。なお、逆に、第１の透光性基板において入射角と反射率とに負の相関関係があった場合には、第２の透光性基板においては、第１の透光性基板への入射角と第２の透光性基板の反射率とに正の相関関係が生成される。このため、第２の透光性基板にて第１の透光性基板を介した光束を反射することで、第１の透光性基板における投射光学装置の投影角度に応じた入射角と反射率との正や負の相関関係をならし、投射光学装置の投影角度に依存することなく、投影画像の色ムラを軽減できる。
【００１３】
本発明のプロジェクタでは、前記投射光学装置から拡大投射される光束の中心軸に直交する平面に対する前記第２の透光性基板の光束入射側端面の傾斜角度を、前記第１の角度調整機構による前記第１の透光性基板の傾斜角度の変更方向と逆方向に変更可能に前記第２の透光性基板を支持する第２の角度調整機構を備えていることが好ましい。
本発明では、プロジェクタは、第２の角度調整機構を備えている。このことにより、第２の角度調整機構により、第１の角度調整機構による第１の透光性基板の傾斜角度の変更方向と逆方向に第２の透光性基板の傾斜角度を変更可能とするので、第１の透光性基板の傾斜角度に応じた最適な傾斜角度に第２の透光性基板を位置付けることが可能となり、投影画像の色ムラをより軽減できる。
【００１４】
本発明のプロジェクタでは、前記第１の透光性基板および前記第２の透光性基板は、光束入射側端面および光束射出側端面が略平行する形状をそれぞれ有し、前記第１の角度調整機構および前記第２の角度調整機構は、前記投射光学装置から拡大投射される光束の中心軸に直交する平面に対する前記第１の透光性基板の光束入射側端面の傾斜角度をθとし、前記平面に対する前記第２の透光性基板の光束入射側端面の傾斜角度をφとし、前記投射光学装置から拡大投射される光束の投影角度の最大値をαmaxとした場合に、以下の式（１）を満たすように前記第１の透光性基板および前記第２の透光性基板の各傾斜角度を変更することが好ましい。
【００１５】
φ＝θ＋αmax・・・・・・（１）
【００１６】
本発明では、第１の角度調整機構および第２の角度調整機構は、上記式（１）を満たすように第１の透光性基板および第２の透光性基板の各傾斜角度θ，φを変更する。例えば、第２の透光性基板の傾斜角度φが上記式（１）を満たすように設定されている場合には、第１の透光性基板を介した光束は、以下に示すような入射角で第２の透光性基板に入射することとなる。
ここで、例えば、所定の範囲を有する投影角度の最小値をαminとし、投影角度の中間値をαmidとし、投影角度の最大値をαmaxとする。また、投影角度αminで進む光束が第１の透光性基板の光束入射側端面に入射する入射角をβminとし、投影角度αmidで進む光束が第１の透光性基板の光束入射側端面に入射する入射角をβmidとし、投影角度αmaxで進む光束が第１の透光性基板の光束入射側端面に入射する入射角をβmaxとする。
【００１７】
上述した場合には、投影角度αminで進み第１の透光性基板を介して第２の透光性基板の光束入射側端面に入射する光束の入射角は、投影角度αmaxで進む光束が第１の透光性基板の光束入射側端面に入射する入射角βmaxと略同一となる。また、投影角度αmidで進み第１の透光性基板を介して第２の透光性基板の光束入射側端面に入射する光束の入射角は、投影角度αmidで進む光束が第１の透光性基板の光束入射側端面に入射する入射角βmidと略同一となる。さらに、投影角度αmaxで進み第１の透光性基板を介して第２の透光性基板の光束入射側端面に入射する光束の入射角は、投影角度αminで進む光束が第１の透光性基板の光束入射側端面に入射する入射角βminと略同一となる。
すなわち、投影角度の範囲内において、投影角度αmidを基準として、投影角度および第１の透光性基板の反射率の相関関係を示す勾配と、投影角度および第２の透光性基板の反射率の相関関係を示す勾配との正負が逆となる。
【００１８】
したがって、例えば、第２の透光性基板の傾斜角度φが上記式（１）を満たさないように設定されている場合と比較して、第２の透光性基板にて第１の透光性基板を介した光束を反射することで、第１の透光性基板における投射光学装置の投影角度に応じた入射角と反射率との正や負の相関関係を示す勾配を０に近付け、投射光学装置の投影角度に依存することなく投影画像の色ムラを効果的に軽減できる。
また、第１の角度調整機構および第２の角度調整機構が上記式（１）を満たすように第１の透光性基板および第２の透光性基板の各傾斜角度θ，φを変更するので、第１の透光性基板の傾斜角度θに応じた最適な傾斜角度φに常に第２の透光性基板を位置付けることができ、投影画像の色ムラを効果的に軽減した状態で、投影画像の色補正を実施できる。
【発明を実施するための最良の形態】
【００１９】
以下、本発明の実施の一形態を図面に基づいて説明する。
〔プロジェクタの構成〕
図１は、本実施形態におけるプロジェクタ１の概略構成を示す平面図である。
プロジェクタ１は、光源から射出された光束を画像情報に応じて変調して画像光を形成し、該画像光をスクリーン等の投射面上に拡大投射する光学機器である。このプロジェクタ１は、図１に示すように、略直方体状の外装筺体２と、この外装筺体２内部に収納配置される光学ユニット３と、この外装筺体２の外面に配設される色補正装置５とで大略構成される。
なお、具体的な図示は省略するが、外装筺体２内部には、光学ユニット３の他、プロジェクタ１の構成部材に外部からの電力を供給する電源ユニット、プロジェクタ１内部を冷却する冷却ユニット、プロジェクタ１全体を制御する制御装置等が配置されるものとする。
【００２０】
外装筺体２は、射出成型等による合成樹脂製品であり、プロジェクタ１の天面、前面、背面、および側面をそれぞれ構成するアッパーケース、およびプロジェクタ１の底面、前面、背面、および側面をそれぞれ構成するロアーケース等で構成される。そして、各ケースは、互いにねじ等で固定されている。
なお、外装筺体２は、合成樹脂製に限らず、その他の材料にて形成してもよく、例えば、金属等により構成してもよい。
【００２１】
光学ユニット３は、外装筺体２内部に配置され、画像光を形成して拡大投射する。この光学ユニット３は、図１に示すように、光源装置１０、均一照明光学系２０、色分離光学系３０、リレー光学系３５、光学装置４０、および投射光学装置としての投射光学系５０を備えて構成され、これらの光学系２０〜３５を構成する光学素子および光学装置４０は、所定の照明光軸Ａが設定された光学部品用筐体６０内に位置決め調整されて収納される。また、投射光学系５０は、光学部品用筐体６０に対して、照明光軸Ａに対する所定位置に接続される。
【００２２】
光源装置１０は、光源ランプ１１から放射された光束を一定方向に揃えて射出し、光学装置４０を照明するものである。この光源装置１０は、図１に示すように、光源ランプ１１、主反射鏡１２、および平行化凹レンズ１４を備えて構成されている。この光源装置１０は、ランプハウジング１０Ｂに収納配置されることで、光学部品用筐体６０に対する所定位置（光源装置１０から射出される光束の中心軸と光学部品用筐体６０内に設定された照明光軸Ａとが一致する位置）に位置決めされる。
そして、光源ランプ１１から放射された光束は、主反射鏡１２により光源装置１０の前方側に射出方向を揃えて集束光として射出され、平行化凹レンズ１４によって平行化され、均一照明光学系２０に射出される。
ここで、光源ランプ１１としては、ハロゲンランプやメタルハライドランプ、または高圧水銀ランプが多用される。また、主反射鏡１２としては、図１では、楕円面リフレクタで構成しているが、光源ランプ１１から射出された光束を略平行化して反射するパラボラリフレクタとして構成してもよい。この場合には、平行化凹レンズ１４を省略する。
【００２３】
均一照明光学系２０は、光源装置１０から射出された光束を複数の部分光束に分割し、照明領域の面内照度を均一化する光学系である。この均一照明光学系２０は、第１レンズアレイ２１、第２レンズアレイ２２、偏光変換素子２３、および重畳レンズ２４を備えている。
第１レンズアレイ２１は、光源装置１０から射出された光束を複数の部分光束に分割する光束分割光学素子としての機能を有し、照明光軸Ａと直交する面内にマトリクス状に配列される複数の小レンズを備えて構成される。
第２レンズアレイ２２は、上述した第１レンズアレイ２１により分割された複数の部分光束を集光する光学素子であり、第１レンズアレイ２１と同様に照明光軸Ａに直交する面内にマトリクス状に配列される複数の小レンズを備えた構成を有している。
【００２４】
偏光変換素子２３は、第１レンズアレイ２１により分割された各部分光束の偏光方向を略一方向の直線偏光に揃える偏光変換素子である。
この偏光変換素子２３は、図示を略したが、照明光軸Ａに対して傾斜配置される偏光分離膜および反射膜を交互に配列した構成を具備する。偏光分離膜は、各部分光束に含まれるＰ偏光光束およびＳ偏光光束のうち、一方の偏光光束を透過し、他方の偏光光束を反射する。反射された他方の偏光光束は、反射膜によって曲折され、一方の偏光光束の射出方向、すなわち、照明光軸Ａに沿った方向に射出される。射出された偏光光束のいずれかは、偏光変換素子２３の光束射出面に設けられる位相差板によって偏光変換され、略全ての偏光光束の偏光方向が揃えられる。このような偏光変換素子２３を用いることにより、光源ランプ１１から射出される光束を、略一方向の偏光光束に揃えることができるため、光学装置４０で利用する光源光の利用率を向上することができる。
【００２５】
重畳レンズ２４は、第１レンズアレイ２１、第２レンズアレイ２２、および偏光変換素子２３を経た複数の部分光束を集光して光学装置４０の後述する３つの液晶パネルの画像形成領域上で重畳させる光学素子である。
【００２６】
色分離光学系３０は、２枚のダイクロイックミラー３１，３２と、反射ミラー３３とを備え、ダイクロイックミラー３１，３２により均一照明光学系２０から射出された複数の部分光束を、赤（Ｒ）、緑（Ｇ）、青（Ｂ）の３色の色光に分離する機能を具備する。
ダイクロイックミラー３１，３２は、基板上に所定の波長領域の光束を反射し、他の波長領域の光束を透過する波長選択膜が形成された光学素子である。そして、光路前段に配置されるダイクロイックミラー３１は、青色光を反射し、その他の色光を透過するミラーである。また、光路後段に配置されるダイクロイックミラー３２は、緑色光を反射し、赤色光を透過するミラーである。
【００２７】
リレー光学系３５は、入射側レンズ３６と、リレーレンズ３８と、反射ミラー３７，３９とを備え、色分離光学系３０を構成するダイクロイックミラー３１，３２を透過した赤色光を光学装置４０まで導く機能を有している。なお、赤色光の光路にこのようなリレー光学系３５が設けられているのは、赤色光の光路の長さが他の色光の光路の長さよりも長いため、光の発散等による光の利用効率の低下を防止するためである。本実施形態においては赤色光の光路の長さが長いのでこのような構成とされているが、青色光の光路の長さを長くしてリレー光学系３５を青色光の光路に用いる構成も考えられる。
【００２８】
上述したダイクロイックミラー３１により分離された青色光は、反射ミラー３３により曲折された後、フィールドレンズ４１を介して光学装置４０に供給される。また、ダイクロイックミラー３２により分離された緑色光は、そのままフィールドレンズ４１を介して光学装置４０に供給される。さらに、赤色光は、リレー光学系３５を構成するレンズ３６，３８および反射ミラー３７，３９により集光、曲折されてフィールドレンズ４１を介して光学装置４０に供給される。なお、光学装置４０の各色光の光路前段に設けられるフィールドレンズ４１は、第２レンズアレイ２２から射出された各部分光束を、各部分光束の主光線に対して平行な光束に変換するために設けられている。
【００２９】
図２は、光学装置４０を通過する光束の軌跡を示す模式図である。具体的に、図２は、光学装置４０を上方側から見た平面図である。
光学装置４０は、入射した光束を画像情報に応じて変調して画像光（カラー画像）を形成するものである。この光学装置４０は、照明対象となる光変調装置としての３つの液晶パネル４２Ｒ，４２Ｇ，４２Ｂ（赤色光側の液晶パネルを４２Ｒ、緑色光側の液晶パネルを４２Ｇ、青色光側の液晶パネルを４２Ｂとする）と、色合成光学装置としてのクロスダイクロイックプリズム４３とを備えて構成される。なお、フィールドレンズ４１および各液晶パネル４２Ｒ，４２Ｇ，４２Ｂの間には、入射側偏光板４４Ｒ，４４Ｇ，４４Ｂ（赤色光側の入射側偏光板を４４Ｒ、緑色光側の入射側偏光板を４４Ｇ、青色光側の入射側偏光板を４４Ｂとする）がそれぞれ介在配置され、各液晶パネル４２Ｒ，４２Ｇ，４２Ｂおよびクロスダイクロイックプリズム４３の間には、射出側偏光素子としての射出側偏光板４５Ｒ，４５Ｇ，４５Ｂ（赤色光側の射出側偏光板を４５Ｒ、緑色光側の射出側偏光板を４５Ｇ、青色光側の射出側偏光板を４５Ｂとする）がそれぞれ介在配置され、入射側偏光板４４Ｒ，４４Ｇ，４４Ｂ、液晶パネル４２Ｒ，４２Ｇ，４２Ｂ、および射出側偏光板４５Ｒ，４５Ｇ，４５Ｂによって入射する各色光の光変調が行なわれる。また、赤、青色光側において、フィールドレンズ４１と入射側偏光板４４Ｒ，４４Ｂの間には、位相差板４６がそれぞれ介在配置される。
【００３０】
位相差板４６は、入射した赤、青色光の偏光方向を９０°回転させる１／２波長板である。すなわち、各入射側偏光板４４Ｒ，４４Ｇ，４４Ｂに入射するＲ，Ｇ，Ｂの各色光（偏光変換素子２３で偏光方向が略一方向に揃えられた各色光）のうち、赤、青色光が位相差板４６をそれぞれ通過することにより、緑色光の偏光方向と、赤、青の各偏光方向とが略直交することとなる。
【００３１】
入射側偏光板４４Ｒ，４４Ｇ，４４Ｂは、入射された光束のうち、所定の偏光方向のみ透過させ、その他の光束を吸収するものである。この入射側偏光板４４Ｒ，４４Ｇ，４４Ｂは、例えば、サファイアガラスまたは水晶等の透光性基板上に偏光膜が貼付された構成を有している。
ここで、入射側偏光板４４Ｒ，４４Ｇ，４４Ｂのうち、緑色光側の入射側偏光板４４Ｇ（第１の入射側偏光板）は、偏光変換素子２３で揃えられた光束の偏光方向と略同一方向の偏光光（図２中、紙面に直交する偏光方向）のみ透過させ、その他の光束を吸収するように構成されている。
一方、赤色光側および青色光側の各入射側偏光板４４Ｒ，４４Ｂ（第２の入射側偏光板）は、偏光変換素子２３で揃えられた光束の偏光方向が位相差板４６により９０°回転された偏光方向（図２中、紙面に平行する偏光方向）を有する光束のみ透過させ、その他の光束を吸収するように構成されている。
【００３２】
液晶パネル４２Ｒ，４２Ｇ，４２Ｂは、一対の透明なガラス基板に電気光学物質である液晶を密閉封入したものであり、例えば、ポリシリコンＴＦＴ(Thin Film Transistor)をスイッチング素子として、与えられた画像信号にしたがって、入射側偏光板４４Ｒ，４４Ｇ，４４Ｂから射出された偏光光束の偏光方向を変調する。
【００３３】
射出側偏光板４５Ｒ，４５Ｇ，４５Ｂは、液晶パネル４２Ｒ，４２Ｇ，４２Ｂから射出された光束のうち、入射側偏光板４４Ｒ，４４Ｇ，４４Ｂにおける光束の透過軸と直交する偏光方向を有する光束のみ透過させ、その他の光束を吸収するものである。この射出側偏光板４５Ｒ，４５Ｇ，４５Ｂは、入射側偏光板４４Ｒ，４４Ｇ，４４Ｂと同様に、例えば、サファイアガラスまたは水晶等の透光性基板上に偏光膜が貼付された構成を有している。
ここで、射出側偏光板４５Ｒ，４５Ｇ，４５Ｂのうち、緑色光側の射出側偏光板４５Ｇ（第１の射出側偏光板）は、入射側偏光板４４Ｇにおける光束の透過軸と直交する偏光方向（図２中、紙面に平行する偏光方向）を有する光束のみ透過させ、その他の光束を吸収するように構成されている。
一方、赤色光側および青色光側の各射出側偏光板４５Ｒ，４５Ｂ（第２の射出側偏光板）は、各入射側偏光板４４Ｒ，４４Ｂにおける光束の透過軸と直交する偏光方向（図２中、紙面に直交する偏光方向）を有する光束のみ透過させ、その他の光束を吸収するように構成されている。
【００３４】
クロスダイクロイックプリズム４３は、射出側偏光板４５Ｒ，４５Ｇ，４５Ｂから射出された色光毎の変調された光学像を合成してカラー画像を形成する光学素子である。このクロスダイクロイックプリズム４３は、４つの直角プリズムを貼り合わせた平面視略正方形状をなし、直角プリズム同士を貼り合わせた界面には、誘電体多層膜が形成されている。略Ｘ字状の一方の誘電体多層膜は、赤色光を反射するものであり、他方の誘電体多層膜は、青色光を反射するものであり、これらの誘電体多層膜によって赤色光および青色光は曲折され、緑色光の進行方向と揃えられることにより、３つの色光が合成される。ここで、各射出側偏光板４５Ｒ，４５Ｂから射出されるＲ，Ｂの各色光（図２中、紙面に直交する偏光方向を有する光束）は、クロスダイクロイックプリズム４３の前記誘電体多層膜に対してＳ偏光光束として入射し、前記誘電体多層膜にて効果的に反射させて光の利用効率を向上させている。一方、射出側偏光板４５Ｇから射出されるＧの色光（図２中、紙面に平行する偏光方向を有する光束）は、クロスダイクロイックプリズム４３の前記誘電体多層膜に対してＰ偏光光束として入射し、前記誘電体多層膜を効果的に透過させて光の利用効率を向上させている。すなわち、クロスダイクロイックプリズム４３から射出される各色光は、図２中、紙面に平行する偏光方向を有する緑色光（第１の色光）と、図２中、紙面に直交する偏光方向を有する赤、青色光（第２の色光）として射出される。
そして、クロスダイクロイックプリズム４３から射出されたカラー画像は、投射光学系５０によって拡大投射され、図示を略したスクリーン上で大画面画像を形成する。
【００３５】
色補正装置５は、具体的な構成は後述するが、光学装置４０を介し投射光学系５０によって拡大投射された画像光のうち、緑色光の反射率と、赤、青色光の反射率とを調整することで、Ｒ，Ｇ，Ｂの各色光が合成された際の色バランスを変更し、投影画像（画像光）の色補正を実施するものである。すなわち、色補正装置５は、光学的に投影画像の色補正を実施するものである。
【００３６】
〔色補正装置の構成〕
図３は、色補正装置５の構成および配設位置を模式的に示す図である。具体的に、図３は、プロジェクタ１を側方から見た側面図である。
色補正装置５は、図３に示すように、第１の透光性基板５１と、第１の角度調整機構５２と、第２の透光性基板５３と、第２の角度調整機構５４とを備える。
【００３７】
図４は、第１の透光性基板５１の反射率特性の一例を示す図である。なお、図４では、第１の透光性基板５１として、水晶（屈折率：1.54）を採用した場合を示す図である。
第１の透光性基板５１は、図３に示すように、第１の角度調整機構５２により外装筺体２外面に支持され、投射光学系５０の光路後段側に配設される。また、第１の透光性基板５１は、図３に示すように、光束入射側端面５１１および光束射出側端面５１２が略平行する平面視矩形状の平板で形成されている。この第１の透光性基板５１の材料としては、屈折率が1.4以上の光学特性を有していれば特に限定されず、例えば、白板ガラス、水晶、サファイアガラス等が例示できる。
そして、第１の透光性基板５１は、図３に示すように、光学装置４０を介し投射光学系５０にて拡大投射された各色光のうちの第１の色光としての緑色光（図２中、紙面に平行する偏光方向を有する光束）が光束入射側端面５１１に対してＳ偏光光束ＩＳとして入射し、第２の色光としての赤、青色光（図２中、紙面に直交する偏光方向を有する光束）が光束入射側端面５１１に対してＰ偏光光束ＩＰとして入射するように配設されている。
【００３８】
第１の角度調整機構５２は、外装筐体２の外面に支持固定され、図３に示すように、投射光学系５０のレンズ光軸Ａｘ（投射光学系５０から拡大投射された光束の中心軸）に直交する平面Ｓに対する第１の透光性基板５１の傾斜角度θを矢印Ｒ１の方向に変更可能に第１の透光性基板５１を支持するものである。この第１の角度調整機構５２は、図３に示すように、第１の保持枠５２１と、第１の調整部５２２とを備える。
第１の保持枠５２１は、図３に示すように、略中央部分に光束が通過可能とする平面視矩形状の開口部５２１Ａを有する平面視矩形枠状の板体で構成され、開口部５２１Ａ周縁部分にて第１の透光性基板５１を支持固定する。そして、第１の保持枠５２１は、図３に示すように、板体の一端側端縁（上方側端縁）が第１の調整部５２２に接続する。
【００３９】
第１の調整部５２２は、水平軸（図３中、紙面に直交する軸）を中心として回転可能とし、回転することで、平面Ｓに対する第１の保持枠５２１の傾斜角度θ、すなわち、第１の透光性基板５１の傾斜角度θを矢印Ｒ１の方向に変更するものである。なお、第１の調整部５２２は、傾斜角度θを例えば0°〜50°の範囲で変更可能とする。また、第１の調整部５２２は、具体的な図示は省略するが、歯車で構成され、第２の角度調整機構５４の後述する第２の調整部と噛合する。この第１の調整部５２２としては、例えば、手動にて回転させる構成としてもよいし、あるいは、モータ等で構成し前記制御装置による制御の下、駆動する構成としても構わない。
【００４０】
図５は、第１の透光性基板５１の傾斜角度θを変更した場合での、投射光学系５０の投影角度と第１の透光性基板５１の光束入射側端面５１１の反射率との関係の一例を示す図である。なお、図５では、説明の便宜上、傾斜角度θを0°、20°、40°の３つの場合のみを示している。また、投影角度αは、0°〜24.2°の範囲に設定している。以下では、投影角度αの最小値をαmin(0°)、中間値をαmid(12.1°)、最大値をαmax(24.2°)とする。
ここで、第１の透光性基板５１への入射角βは、図３に示すように、傾斜角度θと投影角度αを用いた場合には、以下の式（２）で与えられる。なお、以下では、入射角βにおいて、投影角度αminでの入射角をβmin、投影角度αmidでの入射角をβmid、投影角度αmaxでの入射角をβmaxとする。
【００４１】
β＝θ＋α・・・・・・（２）
【００４２】
すなわち、傾斜角度θを0°に設定した場合には、投影角度αの範囲を0°〜24.2°に設定しているため、第１の透光性基板５１への入射角βは、上記式（２）により、入射角βminが0°、入射角βmidが12.1°、入射角βmaxが24.2°の0°〜24.2°の範囲となる。したがって、図５に示す傾斜角度θが0°の場合での投射光学系５０の投影角度と第１の透光性基板５１の光束入射側端面の反射率との関係を示す曲線Ｌ１（Ｓ偏光光束の反射率に対応する曲線をＬ１Ｓ、Ｐ偏光光束の反射率に対応する曲線をＬ１Ｐとする）は、図４における入射角βが0°〜24.2°でのＳ偏光光束とＰ偏光光束の反射率の曲線を拡大したものである。
【００４３】
また、傾斜角度θを20°に設定した場合には、上記同様に、第１の透光性基板５１への入射角βは、上記式（２）により、入射角βminが20°、入射角βmidが32.1°、入射角βmaxが44.2°の20°〜44.2°の範囲となる。したがって、図５に示す傾斜角度θが20°の場合での曲線Ｌ２（Ｓ偏光光束の反射率に対応する曲線をＬ２Ｓ、Ｐ偏光光束の反射率に対応する曲線をＬ２Ｐとする）は、図４における入射角βが20°〜44.2°でのＳ偏光光束とＰ偏光光束の反射率の曲線を拡大したものである。
さらに、傾斜角度θを40°に設定した場合には、上記同様に、第１の透光性基板５１への入射角βは、上記式（２）により、入射角βminが40°、入射角βmidが52.1°、入射角βmaxが64.2°の40°〜64.2°の範囲となる。したがって、図５に示す傾斜角度θが40°の場合での曲線Ｌ３（Ｓ偏光光束の反射率に対応する曲線をＬ３Ｓ、Ｐ偏光光束の反射率に対応する曲線をＬ３Ｐとする）は、図４における入射角βが40°〜64.2°でのＳ偏光光束とＰ偏光光束の反射率の曲線を拡大したものである。
【００４４】
そして、第１の角度調整機構５２により第１の透光性基板５１の傾斜角度θを変更することで、Ｓ偏光光束ＩＳとＰ偏光光束ＩＰとの反射率（透過率）の差が、図５の例に示すように、曲線Ｌ１Ｓ，Ｌ１Ｐ間の差、曲線Ｌ２Ｓ，Ｌ２Ｐ間の差、曲線Ｌ３Ｓ，Ｌ３Ｐ間の差に設定されるため、第１の透光性基板５１を介した後に合成される際のＳ偏光光束ＩＳ（緑色光）とＰ偏光光束ＩＰ（赤、青色光）の色バランスが変更され、投影画像（画像光）の色補正が実施される。
【００４５】
ところで、第１の透光性基板５１への入射角βは、上述した図５の横軸に示すように、投影角度αの範囲に応じて、所定の範囲を有する。すなわち、図５に示すように、投影角度αに依存して、第１の透光性基板５１の光束入射側端面５１１上の各位置で反射率が異なることとなり、投影画像に色ムラが生じやすい。
そこで、本実施形態では、第１の透光性基板５１の光束入射側端面５１１上の各位置で反射率が異なることにより投影画像に生じる色ムラを軽減するために、第１の透光性基板５１の光路後段側に第２の透光性基板５３を配設している。
【００４６】
第２の透光性基板５３は、図３に示すように、第１の透光性基板５１よりも大きい平面視矩形状の光束入射側端面５３１および光束射出側端面５３２が略平行する平板で構成され、第１の透光性基板５１と同一材料で形成されている。そして、第２の透光性基板５３は、第１の透光性基板５１と同様に、第１の透光性基板５１を介した第１の色光としての緑色光が光束入射側端面５３１に対してＳ偏光光束ＩＳとして入射し、第１の透光性基板５１を介した第２の色光としての赤、青色光が光束入射側端面５３１に対してＰ偏光光束ＩＰとして入射するように配設されている。
【００４７】
第２の角度調整機構５４は、外装筺体２の外面に支持固定され、図３に示すように、平面Ｓに対する第２の透光性基板５３の傾斜角度φを矢印Ｒ１と逆方向である矢印Ｒ２方向に変更可能に第２の透光性基板５３を支持するものである。この第２の角度調整機構５４は、図３に示すように、第２の保持枠５４１と、第２の調整部５４２とを備える。
第２の保持枠５４１は、図３に示すように、略中央部分に光束が通過可能とする平面視矩形状の開口部５４１Ａを有する平面視矩形枠状の板体で構成され、開口部５４１Ａ周縁部分にて第２の透光性基板５３を支持固定する。そして、第２の保持枠５４１は、図３に示すように、板体の一端側端縁（上方側端縁）が第２の調整部５４２に接続する。
【００４８】
第２の調整部５４２は、水平軸（図３中、紙面に直交する軸）を中心として回転可能とし、回転することで、平面Ｓに対する第２の保持枠５４１の傾斜角度φ、すなわち、第２の透光性基板５３の傾斜角度φを矢印Ｒ１と逆方向の矢印Ｒ２の方向に変更するものである。また、第２の調整部５４２は、具体的な図示は省略するが、歯車で構成され、第１の角度調整機構５２の第１の調整部５２２と噛合する。そして、第２の調整部５４２は、第１の調整部５２２と噛合することで、投影角度αの最大値をαmaxとした場合に、第１の透光性基板５３の傾斜角度φを、以下の式（３）に示すように変更する。
【００４９】
φ＝θ＋αmax・・・・・・（３）
【００５０】
図６は、第２の透光性基板５３の傾斜角度φを変更した場合での、投射光学系５０の投影角度と第２の透光性基板５３の光束入射側端面５３１の反射率との関係の一例を示す図である。なお、図６では、図５と同様に、投影角度αの範囲を0°〜24.2°の範囲（投影角度αmax：24.2°）で傾斜角度θを0°、20°、40°の３つの場合、すなわち、上記（３）により設定される傾斜角度φを24.2°、44.2°、64.2°の３つの場合のみを示している。
図７は、第１の透光性基板５１の傾斜角度θ（第２の透光性基板５３の傾斜角度φ）を変更した場合での、投射光学系５０の投影角度と第１の透光性基板５１の光束入射側端面５１１および第２の透光性基板５３の光束入射側端面５３１の双方における反射率との関係の一例を示す図である。
ここで、第１の透光性基板５１が平板状に形成され、第２の透光性基板５３の傾斜角度φが上記式（３）を満たすように設定されているので、第１の透光性基板５１を介した光束は、以下に示すような入射角で第２の透光性基板５３に入射することとなる。具体的に、第２の透光性基板５３への入射角γは、図３に示すように、以下の式（４）で与えられる。
【００５１】
γ＝φ−α・・・・・・（４）
【００５２】
第２の透光性基板５３への入射角γは、投影角度αが所定の範囲を有しているため、図６の横軸に示すように、投影角度αの範囲に応じて、所定の範囲を有する。なお、以下では、入射角γにおいて、投影角度αminでの入射角をγmin、投影角度αmidでの入射角をγmid、投影角度αmaxでの入射角をγmaxとする。
すなわち、傾斜角度φを、傾斜角度θが0°の場合での上記（３）により設定される24.2°に設定した場合には、第２の透光性基板５３への入射角γは、上記式（４）により、入射角γminが24.2°、入射角γmidが12.1°、入射角γmaxが0°の24.2°〜0°の範囲となる。したがって、図６に示す傾斜角度φが24.2°の場合での投射光学系５０の投影角度と第２の透光性基板５３の光束入射側端面５３１の反射率との関係を示す曲線Ｌ１´（Ｓ偏光光束の反射率に対応する曲線をＬ１Ｓ´、Ｐ偏光光束の反射率に対応する曲線をＬ１Ｐ´とする）は、図５に示す曲線Ｌ１において、投影角度αmidを基準として、投影角度αと第１の透光性基板５１の反射率との相関関係を示す勾配の正負を逆にしたものである。
【００５３】
また、傾斜角度φを、傾斜角度θが20°の場合での上記式（３）により設定される44.2°に設定した場合には、第２の透光性基板５３への入射角γは、上記式（４）により、入射角γminが44.2°、入射角γmidが32.1°、入射角γmaxが20°の44.2°〜20°の範囲となる。したがって、図６に示す傾斜角度φが44.2°の場合での投射光学系５０の投影角度と第２の透光性基板５３の光束入射側端面５３１の反射率との関係を示す曲線Ｌ２´（Ｓ偏光光束の反射率に対応する曲線をＬ２Ｓ´、Ｐ偏光光束の反射率に対応する曲線をＬ２Ｐ´とする）は、図５に示す曲線Ｌ２において、投影角度αmidを基準として、投影角度αと第１の透光性基板５１の反射率との相関関係を示す勾配の正負を逆にしたものである。
【００５４】
さらに、傾斜角度φを、傾斜角度θが40°の場合での上記式（３）により設定される64.2°に設定した場合には、第２の透光性基板５３への入射角γは、上記式（４）により、入射角γminが64.2°、入射角γmidが52.1°、入射角γmaxが40°の64.2°〜40°の範囲となる。したがって、図６に示す傾斜角度φが64.2°の場合での投射光学系５０の投影角度と第２の透光性基板５３の光束入射側端面５３１の反射率との関係を示す曲線Ｌ３´（Ｓ偏光光束の反射率に対応する曲線をＬ３Ｓ´、Ｐ偏光光束の反射率に対応する曲線をＬ３Ｐ´とする）は、図５に示す曲線Ｌ３において、投影角度αmidを基準として、投影角度αと第１の透光性基板５１の反射率との相関関係を示す勾配の正負を逆にしたものである。
【００５５】
したがって、第２の透光性基板５３にて第１の透光性基板５１を介した光束を反射することで、図７に示すように、投射光学系５０の投影角度と第１の透光性基板５１の光束入射側端面５１１および第２の透光性基板５３の光束入射側端面５３１の双方における反射率との関係を示す曲線Ｌ１´´（図５に示す曲線Ｌ１、図６に示す曲線Ｌ１´に対応）、Ｌ２´´（図５に示す曲線Ｌ２、図６に示す曲線Ｌ２´に対応）、Ｌ３´´（図５に示す曲線Ｌ３、図６に示す曲線Ｌ３´に対応）は、その勾配がなだらかになり、第１の透光性基板５１の光束入射側端面５１１上の各位置で反射率が異なることにより投影画像に生じる色ムラが軽減される。
なお、図７において、曲線Ｌ１Ｓ´´、Ｌ２Ｓ´´、Ｌ３Ｓ´´はＳ偏光光束の反射率に対応する曲線であり、曲線Ｌ１Ｐ´´、Ｌ２Ｐ´´、Ｌ３Ｐ´´はＰ偏光光束の反射率に対応する曲線である。
【００５６】
上述した本実施形態によれば、以下の効果がある。
本実施形態では、プロジェクタ１は、第１の透光性基板５１および第１の角度調整機構５２を備える。このことにより、第１の角度調整機構５２にて第１の透光性基板５１の傾斜角度θを変更することで、第１の透光性基板５１の光束入射側端面５１１に入射する第１の色光としての緑色光、および第２の色光としての赤、青色光の入射角を変更することができる。このため、第１の透光性基板５１の光束入射側端面５１１に入射するＳ偏光光束ＩＳ（緑色光）の反射率と、および第１の透光性基板５１の光束入射側端面５１１に入射するＰ偏光光束ＩＰ（赤、青色光）の反射率との差を変更し、第１の透光性基板５１を介して緑色光と赤、青色光とが合成される際の緑色光と赤、青色光との色バランスを変化させ、投影画像（画像光）の色補正を実施できる。
したがって、光学的に投影画像の色補正を実施でき、従来のように画像信号（画像情報）のレベルを電気回路的に調整して画像信号のダイナミックレンジを変更することがないので、投影画像の色補正を実施した場合であっても投影画像のコントラスト比を良好に維持できる。
【００５７】
ところで、色補正装置５としては、クロスダイクロイックプリズム４３の光路後段側であればいずれの位置に配設してもよいが、最近では、プロジェクタ１の小型化が促進され、液晶パネル４２Ｒ，４２Ｇ，４２Ｂ、射出側偏光板４５Ｒ，４５Ｇ，４５Ｂ、クロスダイクロイックプリズム４３、および投射光学系５０等の光学部品が密集した状態で配設されている。このため、クロスダイクロイックプリズム４３および投射光学系５０の光路間に色補正装置５を配設する場合には、色補正装置５のレイアウトが難しい。
本実施形態では、色補正装置５が投射光学系５０の光路後段側に配設されているので、プロジェクタ１の小型化が促進され光学部品が密集した状態で配設されていても、色補正装置５のレイアウトを容易とするとともに、第１の透光性基板５１、第１の角度調整機構５２、第２の透光性基板５３、および第２の角度調整機構５４の形状や大きさを気にすることなく第１の透光性基板５１、第１の角度調整機構５２、第２の透光性基板５３、および第２の角度調整機構５４の設計の自由度を向上できる。
【００５８】
ここで、透光性基板の反射率特性である入射角と反射率との相関関係を利用して、第１の透光性基板５１の光路後段側に、第１の角度調整機構５２による第１の透光性基板５１の傾斜角度θの矢印Ｒ１の変更方向と逆方向の矢印Ｒ２の方向に光束入射側端面５３１を傾斜させて第２の透光性基板５３が配設されている。このため、第１の透光性基板５１への入射角βが大きくなるにしたがって、第１の透光性基板５１を介して第２の透光性基板５３に入射する光束の入射角γが小さくなる。したがって、第２の透光性基板５３にて第１の透光性基板５１を介した光束を反射することで、第１の透光性基板５１における投射光学系５０の投影角度αに応じた入射角βと反射率との正や負の相関関係をならし、投射光学系５０の投影角度αに依存することなく、投影画像の色ムラを軽減できる。
【００５９】
また、プロジェクタ１は、第２の角度調整機構５４を備えている。このことにより、第２の角度調整機構５４により、第１の角度調整機構５２による第１の透光性基板５１の傾斜角度θの矢印Ｒ１の変更方向と逆方向の矢印Ｒ２の方向に第２の透光性基板５３の傾斜角度φを変更可能とするので、第１の透光性基板５１の傾斜角度θに応じた最適な傾斜角度φに第２の透光性基板５３を位置付けることが可能となり、投影画像の色ムラをより軽減できる。
【００６０】
ここで、第２の透光性基板５３の傾斜角度φは、第２の角度調整機構５２により、上記式（３）を満たすように変更するので、例えば、第２の透光性基板５３の傾斜角度φが上記式（３）を満たさないように設定されている場合と比較して、第２の透光性基板５３にて第１の透光性基板５１を介した光束を反射することで、第１の透光性基板５１における投射光学系５０の投影角度αに応じた入射角βと反射率との正や負の相関関係を示す勾配を０に近付け、投射光学系５０の投影角度αに依存することなく投影画像の色ムラを効果的に軽減できる。
また、第１の角度調整機構５２および第２の角度調整機構５４は、上記式（３）を満たすように、第１の透光性基板５１および第２の透光性基板５３の各傾斜角度θ，φを変更するので、第１の透光性基板５１の傾斜角度θに応じた最適な傾斜角度φに常に第２の透光性基板５３を位置付けることができ、投影画像の色ムラを効果的に軽減した状態で、投影画像の色補正を実施できる。
【００６１】
以上、本発明について好適な実施形態を挙げて説明したが、本発明は、これらの実施形態に限定されるものではなく、本発明の要旨を逸脱しない範囲において種々の改良並びに設計の変更が可能である。
前記実施形態では、色補正装置５は、第１の透光性基板５１、第１の角度調整機構５２、第２の透光性基板５３、および第２の角度調整機構５４を備えていたが、これに限らず、第２の透光性基板５３および第２の角度調整機構５４を省略した構成を採用しても構わない。
【００６２】
前記実施形態において、第１の透光性基板５１の形状は、前記実施形態で説明した形状に限らない。
例えば、第１の透光性基板の形状として、第１の透光性基板の光束入射側端面が、光束入射側端面に対して全ての入射光束の入射角が同一となるように所定の曲率を持つ曲面状に形成しても構わない。この場合には、第１の透光性基板における光束入射側端面上の位置によって、入射光束の反射率が同一となるので、第２の透光性基板５３および第２の角度調整機構５４を省略できる。
また、例えば、第１の透光性基板としては、光束入射側端面と光束射出側端面とが平行しない形状としても構わない。
同様に、前記実施形態において、第２の透光性基板５３の形状は、前記実施形態で説明した形状に限らず、光束入射側端面と光束射出側端面とが平行しない形状としても構わない。また、第２の透光性基板５３は、第１の透光性基板５１と同一の材料にて形成されていたが、異なる材料にて構成しても構わない。
【００６３】
前記実施形態において、第１の角度調整機構５２および第２の角度調整機構５４の形状および構成は、前記実施形態で説明した形状および構成に限らず、その他の形状および構成を採用しても構わない。
【００６４】
前記実施形態では、第１の透光性基板５１は第１の角度調整機構５２により下方側端縁が投射光学系５０に近接するように矢印Ｒ１の方向に傾斜角度θが変更され、第２の透光性基板５３は第２の角度調整機構５４により下方側端縁が投射光学系５０に離間するように矢印Ｒ２の方向に傾斜角度φが変更されていたが、これに限らない。例えば、第１の透光性基板５１の上方側端縁が投射光学系５０に近接するように傾斜角度θを変更し、また、第２の透光性基板５３の上方側端縁が投射光学系５０に離間するように傾斜角度φを変更する構成としても構わない。
【００６５】
前記実施形態では、色補正装置５は、投射光学系５０の光路後段側に配設されていたが、これに限らず、クロスダイクロイックプリズム４３の光路後段側であれば、いずれの位置でも構わない。例えば、クロスダイクロイックプリズム４３と投射光学系５０の光路間に色補正装置５を配設してもよい。
【００６６】
前記実施形態では、入射側偏光板４４Ｒ，４４Ｇ，４４Ｂおよび射出側偏光板４５Ｒ，４５Ｇ，４５Ｂは、所定方向の偏光方向を有する光束を透過しその他の光束を吸収する吸収型の偏光板で構成したが、これに限らず、所定方向の偏光方向を有する光束を透過しその他の光束を反射する反射型の偏光板で構成しても構わない。
【００６７】
前記実施形態では、第１の色光を緑色光とし、第２の色光を赤、青色光としていたが、これに限らず、第１の色光を赤、青色光とし、第２の色光を緑色光とする構成や、その他の構成を採用しても構わない。
前記実施形態では、３つの射出側偏光板４５Ｒ，４５Ｇ，４５Ｂを第１の射出側偏光板（射出側偏光板４５Ｇ）と、第２の射出側偏光板（射出側偏光板４５Ｒ，４５Ｂ）とで構成していたが、これに限らない。
例えば、３つの射出側偏光板を第１の射出側偏光板や第２の射出側偏光板で同一の構成とする。そして、３つの射出側偏光板のうち、少なくともいずれか一の射出側偏光板の光路後段側に位相差板を配設する。このように構成することで、位相差板を介した光束が第１の色光および第２の色光のいずれか一方となり、３つの射出側偏光板のうち少なくともいずれか他の射出側偏光板を介した光束が第１の色光および第２の色光のいずれか他方となる。
【００６８】
前記実施形態では、光源装置１０は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、前記実施形態では、光源装置１０を１つのみ用い色分離光学系３０にて３つの色光に分離していたが、色分離光学系３０を省略して３つの色光をそれぞれ射出する３つの前記固体発光素子を光源装置として構成してもよい。
前記実施形態では、色合成光学装置としてクロスダイクロイックプリズム４３を採用していたが、これに限らず、ダイクロイックミラーを複数用いることで各色光を合成する構成を採用してもよい。
【００６９】
前記実施形態では、プロジェクタ１は、液晶パネル４２Ｒ，４２Ｇ，４２Ｂを３つ備えていたが、これに限らず、液晶パネルを２つ備えるプロジェクタや、液晶パネルを４つ以上備えるプロジェクタとして構成しても構わない。
【００７０】
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、液晶以外の光変調装置を用いてもよい。
前記実施形態では、スクリーンを観察する方向から投射を行なうフロントタイプのプロジェクタの例のみを挙げたが、本発明は、スクリーンを観察する方向とは反対側から投射を行なうリアタイプのプロジェクタにも適用可能である。
【００７１】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００７２】
本発明は、光学的に投影画像の色補正を実施可能とし、色補正を実施した場合であっても投影画像のコントラスト比を良好に維持できるため、プレゼンテーションやホームシアタで用いられるプロジェクタとして利用できる。
【図面の簡単な説明】
【００７３】
【図１】本実施形態におけるプロジェクタの概略構成を示す平面図。
【図２】前記実施形態における光学装置を通過する光束の軌跡を示す模式図。
【図３】前記実施形態における色補正装置の構成および配設位置を模式的に示す図。
【図４】前記実施形態における第１の透光性基板の反射率特性の一例を示す図。
【図５】前記実施形態における第１の透光性基板の傾斜角度を変更した場合での、投射光学系の投影角度と第１の透光性基板の光束入射側端面の反射率との関係の一例を示す図。
【図６】前記実施形態における第２の透光性基板の傾斜角度を変更した場合での、投射光学系の投影角度と第２の透光性基板の光束入射側端面の反射率との関係の一例を示す図。
【図７】前記実施形態における第１の透光性基板の傾斜角度（第２の透光性基板の傾斜角度）を変更した場合での、投射光学系の投影角度と第１の透光性基板の光束入射側端面および第２の透光性基板の光束入射側端面の双方における反射率との関係の一例を示す図。
【符号の説明】
【００７４】
１・・・プロジェクタ、４２Ｒ，４２Ｇ，４２Ｂ・・・液晶パネル（光変調装置）、４３・・・クロスダイクロイックプリズム（色合成光学装置）、４５Ｒ，４５Ｇ，４５Ｂ・・・射出側偏光板（射出側偏光素子）、５０・・・投射光学系（投射光学装置）、５１・・・第１の透光性基板、５２・・・第１の角度調整機構、５３・・・第２の透光性基板、５４・・・第２の角度調整機構、５１１，５３１・・・光束入射側端面、５１２，５３２・・・光束射出側端面、Ｓ・・・平面、θ，φ・・・傾斜角度。
【図１】
2007241131.tif 000003
【図２】
2007241131.tif 000004
【図３】
2007241131.tif 000005
【図４】
2007241131.tif 000006
【図５】
2007241131.tif 000007
【図６】
2007241131.tif 000008
【図７】
2007241131.tif 000009